(57)【要約】【課題】コンテンツリストにチェック（選択）の情報を正しく反映すること。【解決手段】ＣＰＵ２は、ＲＡＭ４にプレイリストを管理するプレイリスト管理データベースを作成する。ＣＰＵ２は、選択を受け付けた楽曲の情報をプレイリスト管理データベースに登録する。ＣＰＵ２は、楽曲データベースとプレイリスト管理データベースとを結合する。ＣＰＵ２は、結合したデータベースにＳＱＬを発行し、プレイリストへの追加状態を反映させた楽曲リストを取得する。【選択図】図４
2018077927.tif 000002
【特許請求の範囲】
【請求項１】
コンテンツの情報を管理するコンテンツデータベースを記憶する補助記憶部と、
主記憶部と、
制御部と、を備え、
前記制御部は、
前記主記憶部にプレイリストを管理するプレイリスト管理データベースを作成し、
選択を受け付けたコンテンツの情報を前記プレイリスト管理データベースに登録し、
前記コンテンツデータベースと前記プレイリスト管理データベースとを結合し、
結合したデータベースにコマンドを発行し、プレイリストへの追加状態を反映させたコンテンツリストを取得することを特徴とするプレイリスト作成装置。
【請求項２】
前記制御部は、
選択を受け付けたコンテンツの識別情報に基づいて、前記プレイリスト管理データベースから、コンテンツのパスを取得し、
取得したコンテンツの識別情報と、コンテンツのパスと、を前記プレイリスト管理データベースに登録することを特徴とする請求項１に記載のプレイリスト作成装置。
【請求項３】
前記制御部は、
前記コンテンツデータベースが管理するコンテンツの情報から、プレイリストに追加するコンテンツの選択を受け付け、
前記コンテンツデータベースが管理するコンテンツの情報から、プレイリストに追加するコンテンツの選択を受け付けた場合、選択を受け付けたコンテンツの識別情報に基づいて、前記プレイリスト管理データベースから、コンテンツのパスを取得し、
取得したコンテンツの識別情報と、コンテンツのパスと、を前記プレイリスト管理データベースに登録することを特徴とする請求項２に記載のプレイリスト作成装置。
【請求項４】
前記制御部は、
管理対象のフォルダー内のコンテンツの情報を、前記コンテンツデータベースに登録し、
フォルダー内のコンテンツから、プレイリストに追加するコンテンツの選択を受け付け、
フォルダー内のコンテンツから、プレイリストに追加するコンテンツの選択を受け付けた場合、選択を受け付けたコンテンツのパスを取得し、
取得したコンテンツのパスに基づいて、前記コンテンツデータベースから、コンテンツの識別情報を取得し、
取得したコンテンツのパスと、コンテンツの識別情報と、を前記プレイリスト管理データベースに登録することを特徴とする請求項１〜３のいずれか１項に記載のプレイリスト作成装置。
【請求項５】
前記制御部は、取得したコンテンツのパスに基づいて、前記コンテンツデータベースから、コンテンツの識別情報を取得できなかった場合、取得したコンテンツのパスと、無効を示すコンテンツの識別情報と、を前記プレイリスト管理データベースに登録することを特徴とする請求項４に記載プレイリスト作成装置。
【請求項６】
前記制御部は、プレイリストの作成後、前記プレイリスト管理データベースを破棄することを特徴とする請求項１〜５のいずれか１項に記載のプレイリスト作成装置。
【請求項７】
前記コマンドは、ＳＱＬであることを特徴とする請求項１〜６のいずれか１項に記載のプレイリスト作成装置。
【請求項８】
コンテンツの情報を管理するコンテンツデータベースを記憶する補助記憶部と、
主記憶部と、
制御部と、を備えるコンピュータの前記制御部に、
前記主記憶部への、プレイリストを管理するプレイリスト管理データベースの作成、
選択を受け付けたコンテンツの情報の、前記プレイリスト管理データベースへの登録、
前記コンテンツデータベースと前記プレイリスト管理データベースとの結合、
結合したデータベースにコマンドを発行し、プレイリストへの追加状態を反映させたコンテンツリストの取得、を実行させるためのプレイリスト作成プログラム。
【発明の詳細な説明】
【技術分野】
【０００１】
本発明は、コンテンツの再生順を指定するプレイリストを作成するプレイリスト作成装置、及び、プレイリスト作成プログラムに関する。
【背景技術】
【０００２】
音楽再生プログラムがインストールされたスマートフォン等は、音楽を再生する音楽再生装置として機能する。音楽再生装置の中には、コンテンツの再生順を指定するプレイリストを作成することができるものがある（例えば、特許文献１参照。）。音楽再生装置においては、図１５に示すように、ユーザーが、プレイリストに追加する複数のコンテンツをアルバム、アーティスト等のコンテンツリストからまとめてチェック（選択）する方式が採用されている場合がある。この方式では、アルバム内の全てのコンテンツをコンテンツリストにおいてチェック（選択）した場合、そのアルバムもチェックされるべきである。
【先行技術文献】
【特許文献】
【０００３】
【特許文献１】特開２０１２−１５５７９２号公報
【発明の概要】
【発明が解決しようとする課題】
【０００４】
しかしながら、多くの音楽再生プログラムは、アルバム内の全てのコンテンツをコンテンツリストにおいてチェック（選択）した場合でも、そのアルバムは、チェックされず、正しく状態を反映していない。コンテンツリストに正しく状態を反映しようとしても、バックグラウンドのコンテンツの同期処理等が動作している場合、コンテンツを管理しているデータベースが刻々と変化するため、対応することができない。
【０００５】
本発明の目的は、コンテンツリストにチェック（選択）の情報を正しく反映することである。
【課題を解決するための手段】
【０００６】
第１の発明のプレイリスト作成装置は、コンテンツの情報を管理するコンテンツデータベースを記憶する補助記憶部と、主記憶部と、制御部と、を備え、前記制御部は、前記主記憶部にプレイリストを管理するプレイリスト管理データベースを作成し、選択を受け付けたコンテンツの情報を前記プレイリスト管理データベースに登録し、前記コンテンツデータベースと前記プレイリスト管理データベースとを結合し、結合したデータベースにコマンドを発行し、プレイリストへの追加状態を反映させたコンテンツリストを取得することを特徴とする。
【０００７】
本発明では、制御部は、主記憶部のコンテンツデータベースと、補助記憶部のプレイリスト管理データベースと、を結合する。そして、制御部は、結合したデータベースにコマンドを発行し、プレイリストへの追加状態を反映させたコンテンツリストを取得する。このように、主記憶部にデータベースを作成することで、高速にデータベースの処理を行うことができるため、コンテンツリストにチェック（選択）の情報を正しく反映させることができる。
【０００８】
第２の発明のプレイリスト作成装置は、第１の発明のプレイリスト作成装置において、前記制御部は、選択を受け付けたコンテンツの識別情報に基づいて、前記プレイリスト管理データベースから、コンテンツのパスを取得し、取得したコンテンツの識別情報と、コンテンツのパスと、を前記プレイリスト管理データベースに登録することを特徴とする。
【０００９】
第３の発明のプレイリスト装置は、第２の発明のプレイリスト作成装置において、前記制御部は、前記コンテンツデータベースが管理するコンテンツの情報から、プレイリストに追加するコンテンツの選択を受け付け、前記コンテンツデータベースが管理するコンテンツの情報から、プレイリストに追加するコンテンツの選択を受け付けた場合、選択を受け付けたコンテンツの識別情報に基づいて、前記プレイリスト管理データベースから、コンテンツのパスを取得し、取得したコンテンツの識別情報と、コンテンツのパスと、を前記プレイリスト管理データベースに登録することを特徴とする。
【００１０】
第４の発明のプレイリスト作成装置は、第１〜第３のいずれかの発明のプレイリスト作成装置において、前記制御部は、管理対象のフォルダー内のコンテンツの情報を、前記コンテンツデータベースに登録し、フォルダー内のコンテンツから、プレイリストに追加するコンテンツの選択を受け付け、フォルダー内のコンテンツから、プレイリストに追加するコンテンツの選択を受け付けた場合、選択を受け付けたコンテンツのパスを取得し、取得したコンテンツのパスに基づいて、前記コンテンツデータベースから、コンテンツの識別情報を取得し、取得したコンテンツのパスと、コンテンツの識別情報と、を前記プレイリスト管理データベースに登録することを特徴とする。
【００１１】
管理対象のフォルダー内のコンテンツの情報が、コンテンツデータベースに登録されるため、フォルダーからコンテンツが選択された場合、選択されたコンテンツが、コンテンツデータベースに登録されていない場合がある。このため、コンテンツの特定にパスが必要となる。従って、制御部は、フォルダー内のコンテンツから、コンテンツの選択を受け付けた場合、選択を受け付けたコンテンツのパスを取得する。また、制御部は、取得したコンテンツのパスに基づいて、コンテンツデータベースから、コンテンツの識別情報を取得する。そして、制御部は、取得したコンテンツのパスと、コンテンツの識別情報と、をプレイリスト管理データベースに登録する。これにより、フォルダー内から選択されたコンテンツが、コンテンツリストでもチェック（選択）済みと表示される。逆も同様である。
【００１２】
第５の発明のプレイリスト作成装置は、第４の発明のプレイリスト作成装置において、前記制御部は、取得したコンテンツのパスに基づいて、前記コンテンツデータベースから、コンテンツの識別情報を取得できなかった場合、取得したコンテンツのパスと、無効を示すコンテンツの識別情報と、を前記プレイリスト管理データベースに登録することを特徴とする。
【００１３】
第６の発明のプレイリスト作成装置は、第１〜第５のいずれかの発明のプレイリスト作成装置において、前記制御部は、プレイリストの作成後、前記プレイリスト管理データベースを破棄することを特徴とする。
【００１４】
第７の発明のプレイリスト作成装置は、第１〜第６のいずれかの発明のプレイリスト作成装置において、前記コマンドは、ＳＱＬであることを特徴とする。
【００１５】
第８の発明のプレイリスト作成プログラムは、コンテンツの情報を管理するコンテンツデータベースを記憶する補助記憶部と、主記憶部と、制御部と、を備えるコンピュータの前記制御部に、前記主記憶部への、プレイリストを管理するプレイリスト管理データベースの作成、選択を受け付けたコンテンツの情報の、前記プレイリスト管理データベースへの登録、前記コンテンツデータベースと前記プレイリスト管理データベースとの結合、結合したデータベースにコマンドを発行し、プレイリストへの追加状態を反映させたコンテンツリストの取得、を実行させる。
【発明の効果】
【００１６】
本発明によれば、コンテンツリストにチェック（選択）の情報を正しく反映させることができる。
【図面の簡単な説明】
【００１７】
【図１】本発明の実施形態に係るＤＡＰの構成を示すブロック図である。
【図２】楽曲データベースの一例を示す図である。
【図３】プレイリスト管理データベースの一例を示す図である。
【図４】データベースの結合を説明するための図である。
【図５】プレイリスト追加処理を行う場合のＤＡＰの処理動作を示すフローチャートである。
【図６】チェック処理を行う場合のＤＡＰの処理動作を示すフローチャートである。
【図７】リスト取得処理を行う場合のＤＡＰの処理動作を示すフローチャートである。
【図８】楽曲リストの表示例を示す図である。
【図９】楽曲リストの表示例を示す図である。
【図１０】プレイリスト保存処理を行う場合のＤＡＰの処理操作を示すフローチャートである。
【図１１】プレイリスト管理データベースを示す図である。
【図１２】アルバム、アーティスト等からの楽曲選択処理を行う場合のＤＡＰの処理動作を示すフローチャートである。
【図１３】フォルダーからの楽曲選択処理を行う場合のＤＡＰの処理動作を示すフローチャートである。
【図１４】楽曲解除処理を行う場合のＤＡＰの処理動作を示すフローチャートである。
【図１５】コンテンツリストの表示例を示す図である。
【発明を実施するための形態】
【００１８】
以下、本発明の実施形態について説明する。図１は、本実施形態に係るデジタルオーディオプレーヤー（以下、「ＤＡＰ」という。）の構成を示すブロック図である。ＤＡＰ１は、記憶部５に記憶されている音楽再生プログラムＰ（プレイリスト作成プログラム）が実行されることにより、音楽を再生する音楽再生装置として機能する。図１に示すように、ＤＡＰ１（プレイリスト作成装置）は、ＣＰＵ（Central Processing Unit）２、ＲＯＭ（Read Only Memory）３、ＲＡＭ（Random Access Memory）４、記憶部５、表示部６、操作部７、ＤＳＰ（Digital Signal Processor）８、Ｄ／Ａコンバータ（以下、「ＤＡＣ」という。）９、増幅回路１０、無線モジュール１１、ＵＳＢインターフェース（以下、「ＵＳＢ  Ｉ／Ｆ」という。）１２を備える。
【００１９】
ＣＰＵ２は、制御プログラム、ＯＳプログラム、音楽再生プログラムＰを含むアプリケーションプログラムに従って、ＤＡＰ１を構成する各部を制御する。ＲＯＭ３は、制御プログラムを記憶する。ＲＡＭ４は、ＣＰＵ２のメインメモリとして機能する。ＣＰＵ２は、ＲＡＭ４に直接アクセス可能である。記憶部５は、ＯＳプログラム、音楽再生プログラムＰを含むアプリケーションプログラム等のプログラム、デジタルオーディオデータ等の各種データを記憶するフラッシュメモリである。ＣＰＵ２は、記憶部５に直接アクセスすることはできない。なお、記憶部５は、例示する構成に限られず、ＨＤＤ（Hard Disk Drive）等であってもよい。また、記憶部５は、マイクロＳＤカード等の外部記憶装置を含む。
【００２０】
表示部６は、種々の画像（静止画像、動画像を含む）を表示するためのものであり、液晶パネルにより構成されている。操作部７は、各種設定を行うための操作キー、及び、表示部６と連動したタッチパネルを備えている。ユーザーは、操作部７を介して、各種の文字入力、設定などを行うことが可能である。また、ユーザーは、操作部７を介して、プレイリストを作成することが可能である。
【００２１】
ＤＳＰ８は、デジタルオーディオデータに、イコライザ処理等の信号処理を行う。ＤＡＣ９は、デジタルオーディオデータをアナログオーディオデータにＤ／Ａ変換する。増幅回路１０は、ＤＡＣ９がＤ／Ａ変換したアナログオーディオデータを増幅し、ヘッドホン１００に出力する。無線モジュール１１は、Ｂｌｕｅｔｏｏｔｈ（登録商標）規格、Ｗｉ−Ｆｉ規格に従った無線通信を行うためのものである。ＤＡＰ１は、無線モジュール１１を介して、他の装置と通信可能である。ＵＳＢ  Ｉ／Ｆ１２は、ＵＳＢ規格に従った通信を行うためのものである。ＤＡＰ１は、ＵＳＢ  Ｉ／Ｆ１２を介して、パーソナルコンピュータと通信を行うことが可能である。
【００２２】
記憶部５（補助記憶部）は、楽曲（コンテンツ）の情報を管理する楽曲データベースを記憶している。図２は、楽曲データベースの一例を示す図である。図２に示すように、楽曲データベースには、楽曲のＩＤ（識別情報）、楽曲の記憶されている場所を示すパス、楽曲のタイトル、楽曲が含まれるアルバム名、楽曲のアーティスト名が記憶されている。楽曲データベースは、アルバム、アーティスト等の楽曲リストに表示する情報を管理する。楽曲データベースに記憶される情報は、管理対象のフォルダーへの楽曲の追加時等に、楽曲内のタグ情報を解析し、作成される。
【００２３】
（第１実施形態）
ＣＰＵ２は、音楽再生プログラムＰを起動した状態で、操作部７を介して、プレイリストの作成指示を受け付けた場合、ユーザー操作に基づいて、楽曲の再生順を指定するプレイリストを作成する。ＣＰＵ２は、プレイリストの作成指示を受け付けた場合、まず、ＲＡＭ４（主記憶部）に、プレイリスト管理データベースを作成する。図３は、プレイリスト管理データベースの一例を示す図である。図３に示すように、プレイリスト管理データベースには、プレイリストに追加する選択を受け付けたＩＤ、パスが記憶される。プレイリスト管理データベースは、プレイリスト作成時に、一時的に作成され、プレイリストに追加される楽曲のＩＤとパスとを管理する。プレイリスト管理データベースは、プレイリスト作成後に、破棄される。
【００２４】
ＣＰＵ２は、楽曲リストを取得する場合、音楽再生プログラムＰに含まれるリスト表示プログラムに従って、図４に示すように、ＲＡＭ４に記憶されているプレイリスト管理データベースと、記憶部５に記憶されている楽曲データベースと、を結合する。ＣＰＵ２は、結合したデータベースにＳＱＬ（コマンド）を発行することで、プレイリストへの追加状態を反映させた楽曲リストを取得する。
【００２５】
ＣＰＵ２は、楽曲データベースが管理するコンテンツの情報から、プレイリストに追加するコンテンツの選択を受け付ける。また、ＣＰＵ２は、コンテンツデータベースが管理するコンテンツの情報から、プレイリストに追加するコンテンツの選択を受け付けた場合、選択を受け付けたコンテンツのＩＤに基づいて、プレイリスト管理データベースから、コンテンツのパスを取得する。また、ＣＰＵ２は、取得したコンテンツのＩＤと、コンテンツのパスと、をプレイリスト管理データベースに登録する。
【００２６】
図５は、プレイリスト追加処理を行う場合のＤＡＰ１の処理動作を示すフローチャートである。図５に示すように、ＣＰＵ２は、ＲＡＭ４にプレイリスト管理データベースを作成する（Ｓ１）。図６は、チェック処理を行う場合のＤＡＰ１の処理動作を示すフローチャートである。図６に示すように、ＣＰＵ２は、選択された項目内の全ての楽曲を取得する（Ｓ２）。次に、ＣＰＵ２は、取得した楽曲をプレイリスト管理データベースに登録する（Ｓ３）。
【００２７】
図７は、リスト取得処理を行う場合のＤＡＰ１の処理動作を示すフローチャートである。ＣＰＵ２は、カテゴリ（アルバム、アーティスト）のリストを取得する（Ｓ４）。ＣＰＵ２は、取得したリストから、各項目（アーティスト、アルバム）内の全ての楽曲を取得する（Ｓ５）。ＣＰＵ２は、取得した楽曲が全てプレイリスト管理データベースにある場合、チェックを付ける（Ｓ６）。これにより、図８に示すように、アルバムＡに含まれる楽曲（タイトルＡ１〜Ａ３）が選択されている場合、図９に示すように、アルバムＡにチェックが付けられる。図１０は、プレイリスト保存処理を行う場合のＤＡＰ１の処理動作を示すフローチャートである。ＣＰＵ２は、プレイリスト管理データベース内の楽曲をプレイリストに追加する（Ｓ７）。次に、ＣＰＵ２は、プレイリスト管理データベースを破棄する（Ｓ８）。
【００２８】
（第２実施形態）
楽曲データベースは、管理対象のフォルダーに記憶されている楽曲の情報を管理している。ＣＰＵ２は、管理対象のフォルダー内の楽曲の情報を、楽曲データベースに登録する。ＣＰＵ２は、フォルダー内の楽曲から、プレイリストに追加する楽曲の選択を受け付ける。上述したように、プレイリスト管理データベースは、ＩＤとパスとを管理する。ＣＰＵ２は、アルバム、アーティスト等の楽曲リストについては、楽曲データベースから楽曲リストの情報を取得するため、ＩＤで楽曲を特定できる。
【００２９】
フォルダーから楽曲が選択された場合、選択された楽曲の情報が楽曲データベースで管理されていない場合があるため、楽曲の特定にパスが必要となる。従って、アルバム、アーティスト等の楽曲リストから楽曲が選択された場合は、ＣＰＵ２は、ＩＤを取得し、プレイリスト管理データベースに登録する。一方、フォルダー内の楽曲リストから選択された場合は、ＣＰＵ２は、選択された楽曲のパスを取得し、取得したパスに基づいて、楽曲データベースから、楽曲のＩＤを取得する。そして、ＣＰＵ２は、ＩＤとパスとをプレイリスト管理データベースに登録する。ＣＰＵ２は、選択された楽曲の情報が、楽曲データベースに登録されておらず、ＩＤを取得できない場合、図１１に示すように、ＮＵＬＬ値等の無効を示すＩＤを登録する（図１１のパス「/somewhere/B3」に対応するＩＤ）。
【００３０】
プレイリスト追加処理（図５）、リスト取得処理（図７）、プレイリスト保存処理（図１０）については、第１実施形態と同様であるため、説明を省略する。図１２は、アルバム、アーティスト等からの楽曲選択処理を行う場合のＤＡＰ１の処理動作を示すフローチャートである。ＣＰＵ２は、選択された楽曲のＩＤとパスとを取得する（Ｓ１１）。次に、ＣＰＵ２は、取得したＩＤとパスとをプレイリスト管理データベースに追加する（Ｓ１２）。図１３は、フォルダーからの楽曲選択処理を行う場合のＤＡＰ１の処理動作を示すフローチャートである。図１３に示すように、ＣＰＵ２は、選択された楽曲のパスを取得する（Ｓ１３）。次に、ＣＰＵ２は、取得したパスから楽曲データベースのＩＤを取得する（Ｓ１４）。次に、ＣＰＵ２は、取得したＩＤとパスとをプレイリスト管理データベースに登録する（Ｓ１５）。Ｓ１４において、ＣＰＵ２は、取得したパスから楽曲データベースのＩＤを取得できない場合、すなわち、楽曲の情報が楽曲データベースに登録されていない場合、無効を示すＩＤと取得したパスとをプレイリスト管理データベースに登録する。
【００３１】
図１４は、楽曲解除処理を行う場合のＤＡＰ１の処理動作を示すフローチャートである。ＣＰＵ２は、選択された楽曲のパスを取得する（Ｓ１６）。ＣＰＵ２は、取得したＩＤ又はパスをプレイリスト管理データベースから削除する（Ｓ１７）。
【００３２】
以上説明したように、本実施形態では、ＣＰＵ２は、ＲＡＭ４のコンテンツデータベースと、記憶部５のプレイリスト管理データベースと、を結合する。そして、ＣＰＵ２は、結合したデータベースにＳＱＬを発行し、プレイリストへの追加状態を反映させた楽曲リストを取得する。このように、ＲＡＭ４にデータベースを作成することで、高速にデータベースの処理を行うことができるため、楽曲リストにチェック（選択）の情報を正しく反映させることができる。
【００３３】
また、本実施形態では、管理対象のフォルダー内の楽曲の情報が、楽曲データベースに登録されるため、フォルダーから楽曲が選択された場合、選択された楽曲が、楽曲データベースに登録されていない場合がある。このため、楽曲の特定にパスが必要となる。従って、ＣＰＵ２は、フォルダー内の楽曲から、楽曲の選択を受け付けた場合、選択を受け付けた楽曲のパスを取得する。また、ＣＰＵ２は、取得した楽曲のパスに基づいて、楽曲データベースから、楽曲のＩＤを取得する。そして、ＣＰＵ２は、取得した楽曲のパスと、楽曲のＩＤと、をプレイリスト管理データベースに登録する。これにより、フォルダー内から選択された楽曲が、楽曲リストでもチェック（選択）済みと表示される。逆も同様である。
【００３４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３５】
上述の実施形態においては、ＤＡＰに音楽再生プログラムＰがインストールされている場合について説明した。これに限らず、音楽再生装置（プレイリスト作成装置）として機能させる機器として、スマートフォン、タブレットＰＣ、フィーチャーフォン、携帯メディアプレーヤー、携帯ゲーム機等であってもよい。
【産業上の利用可能性】
【００３６】
本発明は、コンテンツの再生順を指定するプレイリストを作成するプレイリスト作成装置、及び、プレイリスト作成プログラムに好適に採用され得る。
【符号の説明】
【００３７】
１  ＤＡＰ（プレイリスト作成装置）
２  ＣＰＵ（制御部）
４  ＲＡＭ（主記憶部）
５  記憶部（補助記憶部）
６  表示部
７  操作部
Ｐ  音楽再生プログラム（プレイリスト作成プログラム）
【図１】
2018077927.tif 000003
【図２】
2018077927.tif 000004
【図３】
2018077927.tif 000005
【図４】
2018077927.tif 000006
【図５】
2018077927.tif 000007
【図６】
2018077927.tif 000008
【図７】
2018077927.tif 000009
【図８】
2018077927.tif 000010
【図９】
2018077927.tif 000011
【図１０】
2018077927.tif 000012
【図１１】
2018077927.tif 000013
【図１２】
2018077927.tif 000014
【図１３】
2018077927.tif 000015
【図１４】
2018077927.tif 000016
【図１５】
2018077927.tif 000017